(57)【要約】【課題】  旧巻取軸が満巻になった時に、張力及び接圧を制御した新巻取軸にウエブを巻き替え、新巻取軸においても所要の巻き取り硬さで巻き取るドラムワインダーを提供する。【解決手段】  反転アーム及びスイングアームを具備し、スイングアーム上の新巻取軸をモーターで駆動すると共にスイングアームをエアーシリンダーで回動する。【選択図】  図１
2005289639.tif 000002
【特許請求の範囲】
【請求項１】
紙、プラスチックフィルム等のウエブを巻き取るドラムワインダーにおいて、
前記ドラムワインダーのドラム軸心を反転中心とする反転アーム及び反転アーム上の一点を回動中心とするスイングアームを具備すると共に、前記反転中心に設けた第一回転軸及び／又は前記回動中心に設けた第二回転軸を介してモーターで前記スイングアーム上にある新巻取軸を駆動することを特徴とするドラムワインダー。
【発明の詳細な説明】
【発明の詳細な説明】
【技術分野】
【０００１】  本発明は、紙、プラスチックフィルム等のウエブを巻き取るドラムワインダーに関する。
【背景技術】
【０００２】  紙、プラスチックフィルム等のウエブを巻き取るドラムワインダーにおいて、旧巻取軸のウエブ巻き量が所定値になった時にウエブを切断すると共に、接着糊を塗布した新巻取軸をドラム表面上のウエブに押し付けることで新巻取軸へウエブを巻き替えて、新巻取軸で巻き取ることは、既に従来から行われている。【０００３】  この種のドラムワインダーとして、例えば、図４に示すように、新巻取軸４１は反転アーム４２のＵ字溝４３に保持されている。
接着糊を塗布した新巻取軸４１を図示しないアーム等でドラム４４表面上のウエブ４５に押し付けると共に図示しない切断装置でウエブ４５を切断し、新巻取軸４１にウエブ４５を巻きつけて旧巻取軸４６から新巻取軸４１へのウエブ４５の巻き替えをする。
【発明が解決しようとする課題】
【０００４】  しかしながら、上述した構成のドラムワインダー４０にあっては、新巻取軸４１はウエブ４５を巻き取るにしたがってＵ字溝４３を矢印Ｆ方向に直線状にスライドしていく。
直線状にスライドしている新巻取軸４１をモーター等で駆動することは機構が非常に複雑になり過ぎるので、回転するドラム４４表面上のウエブ４５に新巻取軸４１を高圧で押し付けて駆動せざるを得なかった。
従って、新巻取軸４１では低張力及び低接圧でウエブ４５を巻き取ることが出来ないので、新巻取軸４１でのウエブ４５の巻き取り硬さが硬いものになってしまうという問題点があった。
【０００５】  そこで、本発明の目的は、新巻取軸の巻き始めから張力及び接圧を制御して巻き取り、新巻取軸においても所要の巻き取り硬さでウエブを巻き取るドラムワインダーを提供することにある。
【課題を解決するための手段】
【０００６】  上記目的を達成するための本発明は、紙、プラスチックフィルム等のウエブを巻き取るドラムワインダーにおいて、
前記ドラムワインダーのドラム軸心を反転中心とする反転アーム及び反転アーム上の一点を回動中心とするスイングアームを具備すると共に、前記反転中心に設けた第一回転軸及び／又は前記回動中心に設けた第二回転軸を介してモーターで前記スイングアーム上にある新巻取軸を駆動することを特徴とする。
【０００７】  これにより、新巻取軸の巻き始めから所要の張力及び接圧に制御できるので、新巻取軸においてもウエブを所要の巻き取り硬さで巻き取ることが出来る。
【発明を実施するための最良の形態】
【０００８】  以下、本発明に係るスイングアーム式ワインダーを実施例により図面を用い詳細に説明する。【０００９】  ［実施例］
図１は本発明の実施例を示すスイングアーム式ドラムワインダーの定常巻き取り時の側面図、図２は同じく反転アームが反転終了時の側面図、図３は同じく新巻取軸を移動フレームに受け渡す時の側面図である。【００１０】  先ず、図１を用いて、前述のスイングアーム式ドラムワインダー１の構造を説明する。
ドラム４は駆動モーター１８で駆動されており、移動フレーム１４上に着脱及び回転可能に取り付けられている旧巻取軸１０は第二巻取モーター２０で駆動されている。移動フレーム１４は移動シリンダー２１により矢印Ｃで示すように左右に移動する。【００１１】  反転アーム６はドラム４の軸心を反転中心７として架台１３上に反転可能な状態で取り付けられ、第一エアーシリンダー１６で反転される。
又、スイングアーム５は反転アーム６上の回動中心８で回動可能に取り付けられ第二エアーシリンダー１７で回動される。【００１２】  スイングアーム５上に着脱可能で且つ回転可能に取り付けられている新巻取軸９は、第一回転軸１１、第二回転軸１２及びベルト等の動力伝達手段を介して第一巻取モーター１９で駆動される。
ウエブ２流れ方向で新巻取軸９より上流側位置に、ウエブ２を切断するランニングカッター１５がある。【００１３】  次に、図１、図２及び図３を用いて、前述のスイングアーム式ワインダー１の動作を説明する。
図１に示すように、定常時には新巻取軸９は第二エアーシリンダー１７でドラム４から離されていて、図示しない前装置から供給されるウエブ２は、矢印Ａ方向にドラム４を回転させる駆動モーター１８及び矢印Ｂ方向に旧巻取軸１０を回転させる第二巻取モーター２０の駆動力で旧巻取軸１０に巻き取られている。
この際、製品ロール３の外径が大きくなるにしたがって移動フレーム１４は移動シリンダー２１に押されながら矢印Ｃの右方向へ移動していく。【００１４】  製品ロール３が所定の巻き量に達すると、接着糊を塗布され且つ第一巻取モーター１９で所要の張力になるように駆動されている新巻取軸９は、第二エアーシリンダー１７でドラム４表面上のウエブ２に所要の圧力で押し付けられると同時にランニングカッター１５がウエブ２の流れに対して直角方向に走りウエブ２を切断し、ウエブ２は切断部から新巻取軸９に巻き付けられる。【００１５】  新巻取軸９にウエブ２が巻きつけられると、図２に示すように、移動フレーム１４は移動シリンダー２１で矢印Ｄ方向へ移動して製品ロール３がドラム４から離れて、反転アーム６が第一エアーシリンダー１６により反転させられて所定位置に停止する。【００１６】  図３に示すように、製品ロール３を降ろした移動フレーム１４は移動シリンダー２１で矢印Ｅ方向に移動させられて新巻取軸９をスイングアーム５から受け取り、新巻取軸９は旧巻取軸１０となりウエブ２を巻き取っていく。
新巻取軸９を移動フレーム１４に受け渡したスイングアーム５と反転アーム６は図１の元の位置に第一エアーシリンダー１６によって戻され、図１の定常巻き状態になる。【００１７】  本実施例においては、新巻取軸９は巻き取り始めから移動フレーム１４受け渡すまで、第一巻取モーター１９で巻き取り張力が制御でき、又、第二エアーシリンダー１７でドラム４への接圧力が制御できる。【００１８】  尚、本発明は上記実施例に限定されず、本発明の要旨を逸脱しない範囲で各種変更が可能であることは言うまでもない。例えば、第一巻取モーター１９は第一回転軸１１または第二回転軸１２に直結しても構わない。又、第一エアーシリンダー１６はモーターに置き換えても良い。
【発明の効果】
【００１９】  以上説明したように本発明によれば、紙、プラスチックフィルム等のウエブを巻き取るドラムワインダーにおいて、前記ドラムワインダーのドラム軸心を反転中心とする反転アーム及び反転アーム上の一点を回動中心とするスイングアームを具備すると共に、前記反転中心に設けた第一回転軸及び／又は前記回動中心に設けた第二回転軸を介してモーターで前記スイングアーム上にある新巻取軸を駆動するので、新巻取軸の巻き取り始めから移動フレームに受け渡すまでの間も、制御された張力及び接圧でウエブを巻き取り、所要の巻き取り硬さでウエブを巻き取る事ができる。
【図面の簡単な説明】
【図１】本発明に関する、スイングアーム式ドラムワインダーの定常巻き取り時の側面図である。
【図２】同じく、反転アームの反転終了時の側面図である。
【図３】同じく、新巻取軸を移動フレームに受け渡す時の側面図である。
【図４】従来技術のドラムワインダーのドラム部の側面図である。
【符号の説明】
１  スイングアーム式ドラムワインダー
２  ウエブ
４  ドラム
５  スイングアーム
６  反転アーム
７  反転中心
８  回動中心
９  新巻取軸
１１  第一回転軸
１２  第二回転軸
１９  第一巻取モーター
【図１】
2005289639.tif 000003
【図２】
2005289639.tif 000004
【図３】
2005289639.tif 000005
【図４】
2005289639.tif 000006